(57)【要約】      （修正有）【課題】錠前の長期的な使用に伴う耐久性、修理箇所、改良すべき箇所等に関する情報を得るために、施錠又は解錠の総数情報を得ることができる錠前のカウンタ装置の提供。【解決手段】錠箱内にカマ付きデッドボルト５の施・解錠度数を表示するカウンタ装置Ｙを固定的に設け、カウンタ装置Ｙは、表示度数加算用のラチェット手段１６、ラチェット手段１６により作動する複数個の桁送り手段１７、これらの桁送り手段１７によりそれぞれ表示度数が１つずつ加算されて行く複数個の表示ダイヤル１８を含む計数機構部１５をカウンタケース１４に内装し、カウンタケース１４には、一端部がラチェット手段１６を構成する可動軸に係合し、他端部はカマ付きデッドボルト５と係脱する作動体２５をスライド自在に設けた。【選択図】図２
2008106573.tif 000002
【特許請求の範囲】
【請求項１】
錠箱内に駆動手段の施・解錠度数を表示するカウンタ装置を固定的に設け、該カウンタ装置は、表示度数加算用のラチェット手段、該ラチェット手段により作動する複数個の桁送り手段、これらの桁送り手段によりそれぞれ表示度数が１つずつ加算されて行く複数個の表示ダイヤルを含む計数機構部をカウンタケースに内装し、前記カウンタケースには、一端部が前記ラチェット手段を構成する可動軸に係合し、一方、他端部は前記駆動手段と係脱する作動体をスライド自在に設けたことを特徴とする施・解錠度数表示錠。
【請求項２】
請求項１に於いて、駆動手段は、ダルマの駆動力により施・解錠する施錠片であることを特徴とする施・解錠度数表示錠。
【請求項３】
請求項１に於いて、錠箱の１つの側板には嵌合窓が形成され、一方、カウンタケースは、錠箱の他の側板に設けた支持部に支持されるフレーム本体と、該フレーム本体に一体的に結合すると共に、前記嵌合窓に嵌合する透明な突起状表示部を有するカバーとから成ることを特徴とする施・解錠度数表示錠。
【請求項４】
請求項３に於いて、カウンタケースは、錠箱にフロントから後壁に向かって横方向に配設され、突起状表示部は、錠箱の横長の嵌合窓に嵌合支持される柱形状のレンズ部分であることを特徴とする施・解錠度数表示錠。
【請求項５】
請求項１に於いて、作動体は、カウンタケースの一部に形成した案内切欠に案内され、かつ、可動軸を支承する軸受け部を有するスライド板と、このスライド板の一端部から脚状に延びる係脱片とから成ることを特徴とする施・解錠度数表示錠。
【請求項６】
請求項１に於いて、駆動手段は、ダルマの駆動力により施・解錠するカマ・デッドであることを特徴とする施・解錠度数表示錠。
【発明の詳細な説明】
【技術分野】
【０００１】
本発明は、施錠又は解錠の総数情報を得ることができる錠前のカウンタ装置或いは施・解錠度数表示錠に関する。
【背景技術】
【０００２】
特許文献１の明細書本文と第７図には、駐車料金に相当する投入硬貨をカウントするカウンタが記載されている。このカウンタは、箱状のカウンタ本体５６と、このカウンタ本体に横架された固定軸５８に回転可能に設けられた複数の目盛円盤（表示板）５７と、各目盛円盤の側壁に設けられた各小歯車５９と、前記固定軸と平行に配設された回転軸６０に基端部が取り付けられ、一方、二股状の係合端部が前記各小歯車の中の初期歯車に付勢された状態で係合すると共に、初期歯車を一目盛分ずつ回転させる二股操作片６２と、各小歯車の中にそれぞれ設けられた桁送り用ギヤー６４とを備え、前記二股操作片６２は、硬貨の投入に起因して作動する作動片５２並びに操作レバー６３を介して初期歯車を一目盛分回転させるように作動する（便宜上、公報の符号を入れた）。
【０００３】
しかし、この特許文献１に記載のカウンタは、駐車料金としての投入硬貨をカウントすることを目的とすることから、それ程大きな単位  （例えば数十万、数百万など）の使用度数の情報を得ることができないという問題点がある。
【０００４】
また、特許文献２には、ドアの施錠、解錠回数を記憶するメモリ機構付のドア錠が記載されている。この特許文献２は、本発明と同様に錠前用カウンタ装置の一種である。しかしながら、特許文献２の錠前のカウンタ装置は、留守中に第三者が住居に侵入したか否かの情報を得ることを目的とするものであることから、爪車等の構成は、特許文献１と同様に大きな単位を必要とするものではない。すなわち、特許文献２の錠前用カウンタ装置は、サムターン軸に設けられたピニオンと、該ピニオンに噛合するラックと、シリンダ錠の施・解錠又はサンターンの操作力（ダルマの回転）によって後退動する作動杆と、該作動杆の作動によって回転する１枚の爪車と、爪車の外周の記号を表示する表示窓を有するハウジングとから成る。
【０００５】
その他特許文献３には、カウンタの一般的な構成が記載されているが、特許文献３のカウンタは、計数表示を行う複数の表示板に対するサイドの規制構造に関するものであり、例えば錠前を長い間使用した場合における施錠又は解錠の総数情報（例えば数百万回施・解錠したかという情報）を得るためのものではない。
【特許文献１】実公平２−１５１７７号公報
【特許文献２】特開平１０−１５９４１０号公報
【特許文献３】公開実用昭和５６−１４５７５６号公報
【発明の開示】
【発明が解決しようとする課題】
【０００６】
本発明の所期の目的は、錠前の長期的な使用に伴う耐久性、修理箇所、改良すべき箇所等に関する情報を得るために、施錠又は解錠の総数情報を得ることができる錠前のカウンタ装置を提供することである。第２の目的は、錠箱に簡単に組み込むことができることである。その他の目的は、ケース蓋を外さなくても、錠箱の外から度数情報が直接見えること、良く見えることなどである。
【課題を解決するための手段】
【０００７】
本発明の施・解錠度数表示錠は、錠箱内に駆動手段の施・解錠度数を表示するカウンタ装置を固定的に設け、該カウンタ装置は、表示度数加算用のラチェット手段、該ラチェット手段により作動する複数個の桁送り手段、これらの桁送り手段によりそれぞれ表示度数が１つずつ加算されて行く複数個の表示ダイヤルを含む計数機構部をカウンタケースに内装し、前記カウンタケースには、一端部が前記ラチェット手段を構成する可動軸に係合し、一方、他端部は前記駆動手段と係脱する作動体をスライド自在に設けたことを特徴とする。
【発明の効果】
【０００８】
（１）錠前の長期的な使用に伴う耐久性、修理箇所、改良すべき箇所等に関する情報を得るために、施錠又は解錠の総数情報を得ることができる錠前のカウンタ装置を提供することができる。
（２）カウンタケースを工夫したので、カウンタ装置を錠箱に簡単に組み込むことができる
（３）その他、限定要件如何によっては、ケース蓋を外さなくても、度数情報が錠箱の外から直接見える、良く見えるなどの利点がある。
【発明を実施するための最良の形態】
【０００９】
（１）発明の実施の環境
以下、図１乃至図８に示す本発明を実施するための最良の形態により説明する。図１は第１実施例の実施の環境を示す概略説明図である。図１に於いて、１は、例えば建物の開口を形成する戸枠、２は戸枠１の戸先側の縦枠内に取り付けられる受け金具、３は戸枠１の開口を開閉する開閉体（開き戸や引戸）、Ｘは開閉体３の戸先側の内部又は内壁面に取付けられた錠前である。
【００１０】
Ｙは錠箱４内に設けられた錠前用カウンタ装置で、本実施例では、このカウンタ装置Ｙは、カマ・デッド５の真上に配設されている。周知のように、錠前Ｘの錠箱４は、前面にフロント４ｃを有するケース身４ａと、このケース身４ａの一側開口を閉鎖するケース蓋４ｂから構成されている。カウンタ装置Ｙは、望ましくは、錠箱４の幅広側壁に形成した或いは設けた支持部（後述）を介して、カマ・デッド５又はダルマ７の付近に配設する。なお、本明細書のおける「駆動手段」の用語は、デッドボルト、カマ・デッド（カマ付デッドボルト）、ダルマのいずれかを意味する。
【００１１】
（２）錠前Ｘの主な構成部材
５はフロント４ｃの出入り口６を基準に進退動するカマ・デッド、７は図示しない支持座に回転自在に設けられた当業者用語のダルマである。その他、特に図示しないが、錠前Ｘは、例えばカマ・デッド５の内端部（後端部）側の下方空間にデッドストッパーと、該デッドストッパーとダルマ７との間に配設され、かつ、デッドストッパーを係合解除の方向へと押し下げることができる押し下げ部材とを備えている。
【００１２】
ところで、前記カマ・デッド５は、錠箱４の案内手段に案内されて水平方向に進退動するデッドボルト本体８と、基端部が錠箱４の固定軸或いはカマ軸９に枢支されていると共に、その中途部が連係手段（係合小突起、係合長孔）１０を介してデッドボルト本体８に連動するように設けられたカマ１１とから成る。
【００１３】
また、カマ・デッド５の内端部の上部には、逆ハの字形状の傾斜面を有する第１係合凸部５ａと第２係合凸部５ｂが形成されている。これら第１係合凸部５ａ及び第２係合凸部５ｂの不番の傾斜面には、ダルマ７の半径外方向に延伸する駆動腕７ａが選択的に押圧係合する。
【００１４】
カマ・デッド５は、ダルマ７の駆動力により、例えばカマ・デッド５の内端部側に形成された不番の水平案内長孔に係合する案内ピン１２等を介して進退動する。
図１はカマ・デッド５がダルマ７の駆動力により、受け金具２に係入した施錠時を示している。一方、図２はカマ・デッド５がダルマ７の駆動力により、錠箱４内へと後退した解錠時を示している。
【００１５】
（３）錠前のカウンタ装置−特徴１
まず、本発明は、錠箱４内に位置するデッドボルト、カマ・デッドなどの駆動手段５の駆動力により作動するカウンタ装置Ｙを錠箱４内に固定的に配設した点に特徴がある。なお、ここで「固定的」とは、カウンタ装置Ｙを錠箱４内から取り外そうとすれば抜き取ることができる意味合いである。
【００１６】
カウンタ装置Ｙは、例えばダルマ７の駆動力によりカマ・デッド５が進退動して１回施・解錠動作をすると、「それを１カウントとして」表示度数を１つ加算し、最終的に駆動手段５の施錠又は解錠の総数情報（施・解錠度数）を表示する。
【００１７】
次に、カウンタ装置Ｙは、カウンタケース１４に公知ないし周知の計数機構部１５を内装している。すなわち、本実施例のカウンタ装置Ｙの計数機構部１５は、図１で示すように、表示度数加算用のラチェット手段１６、該ラチェット手段１６により作動する複数個の桁送り手段（ツクを有する非表示回転板）１７、これらの桁送り手段１７によりそれぞれ表示度数が１つずつ加算されて行く複数個の表示ダイヤル（外周に数字を有する回転板）１８を含む。
【００１８】
固定軸（同軸）１９上に軸装された７枚の表示ダイヤル１８は、図１を基準にすると、左側から右側へと「一の位（桁数が低い）・十の位・百の位・千の位・万の位・十万の位・百万の位（桁数が高い）」となっている。したがって、この実施例では「９９９万」の施・解錠度数を表示することができる。
【００１９】
ところで、カウンタ装置Ｙは、ラチェット手段１６を構成するラチェット歯車（爪車）１６ａを介して一の位（一番左側）の表示ダイヤル１８が１目盛分ずつ回転する。次に、位の小さい方の表示ダイヤル１８が図示しない伝動用小歯車、桁送り手段１７等を介して１回転したときに、位の大きな表示ダイヤル１８が１目盛分回転する。以下、同様である（周知事項）。
【００２０】
（４）錠前のカウンタ装置−特徴２
次に、本発明は、そのカウンタケース１４に、一端部（内端部）がラチェット手段１６を構成するラチェット軸（可動軸）２１に係合し、一方、他端部（外端部）は前記駆動手段５と係脱する作動体２５をスライド自在に設けている点に特徴がある。
【００２１】
ここで、図３を参照にしてラチェット手段１６を簡単に説明する。ラチェット手段１６は、カウンタケース１４に横設軸架された回転板用固定軸１９に回転可能に設けられたラチェット歯車（爪車）１６ａと、このラチェット歯車１６ａの一側外面に位置するように前記固定軸１９に回転可能に設けられた幅広の送り係合片１６ｂとから成り、前記送り係合片１６ｂの内面（図３では向こう側）には、ラチェット歯車１６ａの係合歯と係脱する爪２０が突設され、一方、送り係合片１６ｂの外面（図３では手前側）には、ラチェット軸（可動軸）２１が突設されている。
【００２２】
図６を参照にして作動体２５を説明する。作動体２５は、カウンタケースの一部（実施例では底板３４ａ）に形成した案内切欠３７に案内され、かつ、ラチェット軸２１を支承する軸受け部２９を有する矩形状のスライド板２６と、このスライド板２６の一端部の中央部から下方へ鉤状に延びる係脱片２７とから成る。
しかして、前記スライド板２６の横幅は、少なくとも全ての非表示回転板１７及び表示ダイヤル１８を受け入れることができる大きさに形成されていると共に、その上端部の左右には、直交方向に突出する一対の軸受け部２９が設けられている。そして、前記軸受け部２９の不番の軸孔は長孔状に形成されている。
【００２３】
一方、前記係脱片２７は、その取付け端部から、いわば脚を折り曲げた如く形成し、その膝部２７ａから足先２７ｂに至る傾斜部分をカマ・デッド５と係合する部分としている。本実施例では、図２で示すように、カマ・デッド５が錠箱４内に後退したとき（解錠時）に、カマ１１の基端部の外周面１１ａが係脱片２７の傾斜状外面に摺接係合し、作動体２５はカマ１１を介して押し上げられ、これにより施・解錠の度数が「１カウント」加算される。
【００２４】
なお、符号３０は作動体２５用の付勢手段で、本実施例では、中央部が固定軸１９に巻装され、その一端部は作動体２５の上辺に圧接し、一方、下端部は、後述するカウンタケース１４のフレーム本体３４の底板３４ａに直接又は間接的に圧接する。
【００２５】
（５）錠前のカウンタ装置―特徴３
本発明は、カウンタケース１４の錠箱４に対するその取付け構成及び構造にも特徴がある。まず、図６で示すように錠箱４のケース蓋４ｂとケース身４ａの幅広側壁には、略対向する部位にカウンタケース１４用の支持部３１、３２がそれぞれ形成されている。例えば１つの側板に相当するケース蓋４ｂには横長の嵌合窓３１が形成され、一方、他の側板に相当するケース身４ａには単数又は複数（本実施例）の支持孔３２が形成されている。
【００２６】
次に、カウンタケース１４は、前記支持孔３２に複数個の係合突起３３を介して支持されるフレーム本体３４と、該フレーム本体３４の前側に一体的に結合すると共に、前記嵌合窓３１に嵌合する透明な突起状表示部３５を有するケース状カバー３６とから成る。
【００２７】
しかして、フレーム本体３４は、例えば平面視コ字形状の上端面を有する一部開口の箱体であり、底板３４ａと、左右一対の側板３４ｂと、後の側板３４ｃとを有し、前記後の側板３４ｃの外面には前述した係合突起３３が設けられている。また、前記底板３４ａの奥側の後端部には作動体２５のスライド板２６を案内する水平切欠３７が形成されている。
【００２８】
一方、カバー３６は、例えば合成樹脂材で後側が開口するケース状に成形され、前述した突起状表示部３５は、柱形状のレンズ部分である。したがって、少なくとも横柱状レンズ部分は透明であり、該透明のレンズ部分から表示ダイヤル１８の数字、記号、模様等のカウント用標識が良く見える。
【００２９】
（６）その他の部材
特に図示しないが、例えば可動軸２１には、回転板（桁送り手段１７、表示ダイヤル１８）を保持する保持バネが適宜に巻装されている。また、表示ダイヤル１８のクリック感を出すためのクリック板をカウンタケース１４のフレーム本体３４の底板３４ａに設けることもできる。
【実施例】
【００３０】
発明の実施の形態で示した実施例に於いて、作動体の係脱片２７の形状や向きは、駆動片５との係合態様によって任意に設計変更され得る。本発明の実施形態では、図２で示す解錠時に於いて、カマ・デッド（駆動手段、施錠片）５のカマ１１の外周面で作動体２５を押し上げ、これにより送り係合片１６ｂを介して表示ダイヤル１８の表示度数を１つ加算するように構成しているが、もちろん、普通のデッドボルトを駆動手段として表示度数を１つ加算するように構成しても良い。
【００３１】
図９は、第1実施例を設計変更した一例である。図９では、普通のデッドボルト５Ａを駆動手段として用いること、デッドボルト５Ａの施錠時に表示度数を１つ加算することを視点にしたものである。この設計変更例（第２実施例）では、作動体２５の係脱片２７の向きを逆にし、一方、デッドボルト５Ａの上辺の適宜箇所にカマ１１に相当する傾斜状の係合面を有する山形状の押し上げ用突起１１Ａを設けている。なお、係脱片２７の形状は、直線状、曲線状等であっても良い。
【００３２】
このように、デッドボルト５Ａに押し上げ用突起１１Ａを設け、或いはダルマ７に図示しない押し上げ用係合腕を延設することにより、本発明の初期の目的を達成することもできる。
【００３３】
なお、固定軸（同軸）１９上に軸装された７枚の表示ダイヤル１８に関して、図１を基準にした場合、右側から左側へと「一の位（桁数が低い）・十の位・百の位・千の位・万の位・十万の位・百万の位（桁数が高い）」となるように構成しても良いことはもちろんである。
【産業上の利用可能性】
【００３４】
本発明は、主に錠前や建具の業界で利用される。
【図面の簡単な説明】
【００３５】
図１乃至図８は本発明の最良の実施例を示す各説明図。
【図１】第1実施例の実施環境の概略説明図（正面視からの施錠時）。
【図２】図１において、解錠時の概略説明図。
【図３】錠箱のフロント側から見た概略説明図。
【図４】カウンタ装置の平面視からの概略説明図。
【図５】カウンタ装置の正面視からの概略説明図。
【図６】主要部の分解説明図。
【図７】カウンタ装置の左側面視からの概略説明図（施錠時）。
【図８】カウンタ装置の左側面視からの概略説明図（解錠時）。
【図９】第1実施例を設計変更した一例を示す概略説明図。
【符号の説明】
【００３６】
Ｘ…錠前、Ｙ…錠前用カウンタ装置、１…戸枠、２…受け金具、３…開閉体、４…錠箱、５…駆動手段（デッドボルト、カマ・デッドなど）、７…ダルマ、８…デッドボルト本体、１０…連係手段、１１…カマ、１１ａ…外周面、１１Ａ…押し上げ用突起、１４…カウンタケース、１５…計数機構部、１６…ラチェット手段、１６ａ…ラチェット歯車（爪車）、１６ｂ…送り係合片、１７…桁送り手段（非表示回転板）、１８…表示ダイヤル、１９…固定軸（同軸）、２０…爪、２１…ラチェット軸（可動軸）、２５…作動体、２６…スライド板、２７…係脱片、２７ａ…膝部、２９…軸受け部、３０…付勢手段、３１…嵌合窓、３２…支持孔、３３…係合突起、３４…フレーム本体、３５…突起状表示部、３６…カバー、３７…案内切欠。
【図１】
2008106573.tif 000003
【図２】
2008106573.tif 000004
【図３】
2008106573.tif 000005
【図４】
2008106573.tif 000006
【図５】
2008106573.tif 000007
【図６】
2008106573.tif 000008
【図７】
2008106573.tif 000009
【図８】
2008106573.tif 000010
【図９】
2008106573.tif 000011